(57)【要約】【課題】比較的長い光ファイバーを介するサブオクターブ信号の送信によって、多数の異なるアナログ及び／又はデジタル信号を同時に送信するためのシステムと方法を提供する。【解決手段】モデム及び／又は高周波（ＲＦ）インサータからＲＦ信号をアップコンバートし、重なり合うことなく、単一サブオクターブ信号の中で間隔を置いて配置されたＲＦ信号帯を得る。サブオクターブ信号は光信号に変換され、光ファイバーに送られる。光ファイバーの下流端で、受信された光信号はＲＦ信号に変換される。ＲＦ信号はフィルターを通過し、ダウンコンバートされ、選択された同軸分配ユニットに送られる。同軸分配ユニットから、スレーブモデムで、ＲＦ信号は復調され、初期アナログ及び／又はデジタル信号を回復する。【選択図】図４
2014075794.tif 000002
【特許請求の範囲】
【請求項１】
複数のデジタルデータ信号を送信するためのシステムであって、
ビデオ信号を受信して、高周波（ＲＦ）信号を出力する少なくとも１個のＲＦインサータと、
単一のサブオクターブ内に１つの周波数帯域を有する１つのＲＦ信号を出力するために、１個のＲＦインサータの下流の少なくとも１つのＲＦ信号に作用する１つのアップコンバータシステムと、
前記アップコンバータシステムの下流の単一サブオクターブＲＦ信号を光信号に変換して、該光信号を光ファイバー内に送る１個の光送信器と、
前記光信号を１つのＲＦ信号に変換する前記光ファイバーの下流の受光器と、
前記受光器の下流に於いて、１つのＲＦ信号を受信して、ＲＦ信号上で符号化された前記ビデオ信号を有する１つのＲＦ信号を出力するダウンコンバータシステムを備えることを特徴とするシステム。
【請求項２】
少なくとも１つのデジタル信号で変調された信号を出力する少なくとも１つのモデムと、
前記ダウンコンバータシステムの下流に於いてＲＦ信号上で符号化された少なくとも１つのデジタル信号を有する前記ＲＦ信号を受信し少なくとも１つのデジタル信号を出力する１つのモデムと、を更に備えることを特徴とする請求項１記載のシステム。
【請求項３】
少なくとも１つのデジタル信号で変調された信号を出力する前記少なくとも１つのモデムは少なくとも１つのマスターモデムであり、
少なくとも１つのデジタル信号を有するＲＦ信号を受信するモデムはスレーブモデムであることを特徴とする請求項２記載のシステム。
【請求項４】
マスターモデムは、複数の入力デジタル信号を受信し、少なくとも２つの入力デジタル信号を符号化する周波数分割多重化（ＦＤＭ）信号を出力することを特徴とする請求項３記載のシステム。
【発明の詳細な説明】
【技術分野】
【０００１】
（関連出願の相互参照）
本願は、現在係属中である２０１２年８月１４日出願の米国特許出願第１３／５８５、６５３号の一部継続出願である。出願第１３／５８５、６５３号の内容は参照により本明細書に取り込むものとする。
本発明は概して、デジタル及び／又はアナログ信号を伝送するための光システムと方法に関する。特に、本発明は、比較的長い光ファイバーで、サブオクターブ伝送によって、多数の異なるアナログ及び／又はデジタル信号を同時に送信するためのシステムと方法に関する。本発明は、次に限定される訳ではないが、特に、多数の異なるデジタル及び／又はアナログ信号を単一のサブオクターブ高周波（ＲＦ）信号に結合させ、続いて、そのＲＦ信号は、光ファイバーを介した光伝送用に形成された光ビームに変換されるシステム及び方法にとって有益である。
【背景技術】
【０００２】
通信システムに関して、ポイントツーポイント接続は、情報が２つのノード又は２つの終点間を送信される接続のことである。一方、ポイントツーマルチポイント接続は、点ノードと中央ノード間の接続であって、その中央ノードが、また１つ以上の周辺ノードに接続される接続である。
【０００３】
現代では、ビデオ、音声、データ情報を含む信号を、ポイントツーポイント及びポイントツーマルチポイント接続を使用して比較的長距離を送信する必要がある。この点、銅線や同軸ケーブルに比較して、信号歪みや減衰の点で比較的に低い信号を比較的長距離を移送するために、光ファイバーを使用することが可能である。
【先行技術文献】
【特許文献】
【０００４】
【特許文献１】米国特許出願第１３／５８５、６５３号公報
【特許文献２】米国特許出願第１２／９８０，００８号公報
【特許文献３】米国特許出願第１３／０４５，２５０号公報
【発明の概要】
【発明が解決しようとする課題】
【０００５】
光ファイバーを経由してデジタル情報を送信する１つの方法は、デジタル信号を、モデムを使ってアナログ信号（例えば、ＲＦ信号）に符号化することである。次に、そのＲＦ信号はレーザダイオードなどの光送信器を使用して光ビーム信号に変換され、光ファイバーの端部に導入することが可能である。このプロセスに於いて、１つ以上の光信号を一時に送信することが可能となる。典型的には、大量の情報の送信を可能にするには、マルチオクターブの帯域を有する比較的大きな帯域ＲＦ信号が変換され、光ファイバーで送信される。これらのマルチオクターブ光送信のために、ファイバー分散が原因である複合的な二次歪みは、約１キロあるいはそれ以上の光送信距離で重大な信号劣化を引き起こす可能性がある。
【０００６】
複合的な二次歪みに関係する制約に対する１つの解決方法は、サブオクターブ帯域を有するＲＦ信号を使用することである。例えば、本発明と同じ譲受人の所有するものであって参照により本明細書に取り込んだ  “Ｐａｓｓｉｖｅ  Ｏｐｔｉｃａｌ  Ｎｅｔｗｏｒｋ  ｗｉｔｈ  Ｓｕｂ−Ｏｃｔａｖｅ  Ｔｒａｎｓｍｉｓｓｉｏｎ”  と題された米国特許出願第１２／９８０，００８は、送信された光信号の中の不要な二次歪みは、ＲＦ搬送波がサブオクターブ帯域から選択された場合、パッシブ光ネットワークにおいて大幅に減らすことが可能であることを開示している。更に、サブオクターブ帯の信号送信のために周波数のアップコンバージョンによって、マルチ波長光送信での周波数干渉を避けることができる。
【０００７】
上記の内容の観点から、本発明の目的は、多数の信号を、約１キロメートル以上の距離を単一の光ファイバーで光送信するためのシステムと方法を提供することである。本発明の別の目的は、ビデオ信号を含むデジタル信号とアナログ信号を、ポイントツーポイント又はポイントツーマルチポイント通信接続によって光送信している間の複合的な二次歪みの悪影響を減少させるシステムと方法を提供することである。また、システムの過負荷を発生する可能性のあるネットワークポイントでの信号衝突を防止するために、ポイントツーポイントネットワーク又はポイントツーマルチポイントネットワークの上流装置と下流装置の間の信号の伝送量を制御することが本発明の別の目的である。本発明の更に別の目的は、使い易く、製造するのが比較的容易であり、比較的費用効率の高い光ファイバー伝送システムのためのスイッチング／ルーティングプロトコルを提供することである。
【課題を解決するための手段】
【０００８】
本発明によれば、光ファイバーで大量のデジタル及び／又はアナログ信号（例えば、「ｎ」個の信号）を送信するためのシステムは、各々のＲＦ搬送波信号上の１つ以上のデジタル信号を変調するための１つ以上のモデムを備えることが可能である。加えて、このシステムはアナログ又はデジタルビデオ信号などの信号を受信して、対応するＲＦ信号を出力する１つ以上のＲＦインサータを備えることが可能である。例えば、ＲＦインサータは、直角振幅変調（ＱＡＭ）又は位相偏移変調（ＱＰＳＫ）などのＲＦ信号を生成する時に、変調機能を実行することが出来る。
【０００９】
これによって「ｎ」個のＲＦ信号が発生し、通常は、各ＲＦ信号は、実質的に同じ初期搬送波周波数帯（Ｆ０）を有する。システムは、各ＲＦ信号に１個のアップコンバータを有する複数のアップコンバータを備えている。
【００１０】
機能的には、各アップコンバータは、Ｆ０よりも大きい周波数を含む周波数帯を有するＲＦ信号を出力するために各々のＲＦ信号に作用する。例えば、第１アップコンバータは、周波数（Ｆ１）を含む周波数帯を出力するために第１ＲＦ信号に作用し、第２アップコンバータは、周波数（Ｆ２）を含む周波数帯を出力するために第２ＲＦ信号に作用し、第ｎアップコンバータは周波数（Ｆｎ）を含む周波数帯を出力するために第ｎＲＦ信号に作用する。更に、本発明のために、各周波数帯は、変調された信号の両方の側波帯（例えば、両側波帯（ＤＳＢ））又は単側波帯（ＳＳＢ）だけを含むことができる。例えば、単側波帯信号は、適切なフィルター又は単側波帯（ＳＳＢ）ミキサを使用して作成することができるかもしれない。
【００１１】
システムにとって、「ｎ」アップコンバータ（及び、場合によっては、フィルター）によって出力された「ｎ」周波数帯は非重複であって、単一サブオクターブ内で間隔をおいて配置される。従って、アップコンバータによって出力されるすべての周波数は、２ｆＬ−ｆＨ＞０という条件において、ｆＬとｆＨの間の周波数スペクトルの内に存在することになる。アップコンバータによって出力される複数の周波数帯は、ＲＦ結合器を使用して結合され、結合された信号は、光送信器に送られる。光送信器において、結合されたＲＦ信号は、例えば、波長（λ１）を有する光信号に変換され、その光信号は、光ファイバーの端部に送られる。
【００１２】
より構造的な詳細を述べると、各アップコンバータは局部発振器とミキサを備えている。上記の間隔をおいて配置された複数の周波数帯を生成するために、各アップコンバータの局部発振器は特異な周波数ＦＬＯ、１、ＦＬＯ、２、・・・・ＦＬＯ、ｎを出力する。例えば、第１アップコンバータのミキサは、（Ｆ１）を含むＲＦ帯を出力するために、ＦＬＯ，１と第１ＲＦ信号とを混合し、第２アップコンバータのミキサは、（Ｆ２）を含む周波数帯を出力するために、ＦＬＯ，２と第２ＲＦ信号を混合する。
【００１３】
本発明によれば、システムは更に、光信号が光ファイバーを通過した後、光信号をＲＦ信号に変換するための受光器を備えている。受光器から、ＲＦ信号は、ＲＦスプリッタに送られるが、ＲＦスプリッタは、そのＲＦ信号を信号断片に分割し、各信号断片を各々の回路経路に送る。各回路経路は、帯域フィルターとダウンコンバータを備えている。帯域フィルターはサブオクターブの外側の複数の周波数を取除き、場合によっては光送信器によって生成され、光ファイバーに沿って光信号を送信する間に導入された二次歪みを消去する。更に、帯域フィルターは、それに続くダウンコンバージョンのために好ましい周波数だけを通過させるために使用することができる。
【００１４】
機能的には、各々のダウンコンバータは、スプリッタからのＲＦ信号断片に作用し、ＲＦ信号上で符号化され送信されたデジタルとアナログ信号のうちの１つを有するＲＦ信号を出力する。通常は、ダウンコンバータによって出力されたすべてのＲＦ信号は、（Ｆ０）などの共通の周波数を有している。例えば、第１ダウンコンバータは、第１ＲＦ信号断片に作用し、第１デジタル信号で変調された周波数（Ｆ０）でＲＦ信号を出力する。第２ダウンコンバータは、第２ＲＦ信号断片に作用し、第２デジタル信号で変調された周波数（Ｆ０）でＲＦ信号を出力する。以下同様である。ダウンコンバータからのＲＦ信号の各々は、それぞれのモデムに送信されて、アナログのＲＦ信号を復調して、送信されたデジタル又はアナログ信号を出力する。回復させたデジタル／アナログ信号は、１つ以上のネットワークを通じて、各々の目的アドレスに送信することができる。
【００１５】
別の実施形態によれば、各ダウンコンバータは、初期デジタル信号のうちの１つで変調させた周波数帯の１つを回復するために、同調回路や局部発振器などの回路を備えることができる。例えば、第１ダウンコンバータは、第１デジタル信号で変調された第１周波数帯を回復し、第２ダウンコンバータは、第２デジタル信号等で変調された第２周波数を回復する。この回復のために、各ダウンコンバータは、光ファイバーの送信サイドで初期ＲＦ信号をアップコンバートするために使用される局部発振器ＬＯ１、ＬＯ２、・・・・ＬＯｎに関する周波数と位相情報が必要である。特に、各ダウンコンバータは、その局部発振器を駆動するための情報が必要である。例えば、第１ダウンコンバータは、第１デジタル信号を符号化している第１ＲＦ信号を回復させる間、局部発振器ＬＯ１を駆動するために、対応するアップコンバータの局部発振器に関する情報を必要とする。
【００１６】
上記の目的のために、基準周波数ＦＬＯ−ＲＥＦを生成する基準局部発振器ＬＯＲＥＦを、局部発振器ＬＯ１・・・ｎの各々に接続し、アップコンバータの局部発振器信号を生成するように使うことが可能である。これらの接続によって、基準局部発振器とアップコンバータ局部発振器の間の、周波数と位相情報を含む相対情報をファイバーを通して送信することができる。本発明において推察されるように、基準局部発振器からの出力は、必要な場合に作動に使用のための付加的なシステム情報を提供するテレメトリ信号によって送信することができる。受信サイドでは、基準局部発振器信号とテレメトリ信号を、信号回復時のダウンコンバータの局部発振器信号を生成するために使用することができる。
【００１７】
上記の記述は、明確にするために、光ファイバーに沿った第１の方向（つまり、前方方向）にデジタル信号を送信することについて述べているが、ここで述べる構造は、前方及び後方両方向の同一ファイバーによる同時のデジタル／アナログ送信を提供するために、光ファイバーの各サイドに設置しても良い。例えば、波長（λ１）を有する光信号が前方方向に送信されると同時に、波長（λ２）を有する光信号が後方方向に送信されても良い。前方と後方の送信（例えば、λ１とλ２）は、複数の波長を利用することができ、各方向のトータル送信能力を高めるためにそれらの波長を結合させることができることは当分野では公知である。
【００１８】
本発明の好適な実施形態によれば、システムは、光ファイバーケーブルを通してメッセージのトラフィック流量を増大させる能力を備えている。本システムの為に、上流装置と下流装置の間の信号送信量は、時間で制御及び／又は周波数で制御することが可能である。更に、本発明によれば、システムはポイントツーポイントネットワーク又はポイントツーマルチポイントネットワークで使用可能である。
【００１９】
本発明のための時間による制御は、時分割多重化（ＴＤＭ）機能を、光ファイバーの上流端にモデムによって組み込むことによって達成される。特に、ＴＤＭ機能は、１つ以上の下流装置からの複数の信号の衝突を防止するデータ送信信号スタックプロトコルを、システムの過負荷をひき起こすおそれがある光ファイバーの上流端に設定するように提供される。更に、本発明の周波数による制御は、周波数分割多重（ＦＤＭ）機能を組み込むことによって達成される。これは、光ファイバーの上流において、モデム及び／又はＲＦインサータによって達成される。
【００２０】
更に特に、ＦＤＭ機能は、上流モデム又はＲＦインサータのデータ送信機能を収容して、異なる周波数による異なる下流装置への信号送信を可能にするように提供される。
【００２１】
構造的に、システムは少なくとも１つの、しかし典型的には、複数の所謂「マスターモデム」を備えている。各マスターモデムは光ファイバーの上流端に位置しており、そのマスターモデムは所定の下流構成要素と通信するためにシステム内部に接続される。この結合において、ＦＤＭスキームは、各々の信号が信号整合性を保つために複数の異なる信号周波数を設定する。また、特に意図された目的アドレスへの信号のルーティングの為に、異なる複数の周波数をＦＤＭスキームの中で使うことができる。各マスターモデムは、光ファイバーを介したそれから先の送信のために、データ信号をＦＤＭプロトコルの中で待ち行列にするためのＦＤＭ機能を使用する。
【００２２】
ＴＤＭプロトコルに従って、各マスターモデムは、メッセージ送信のための順番を設定する。更に、ＴＤＭプロトコルの一部分として、マスターモデムも待ち行列にあるメッセージに対して特定送信時間要件を課す。以下に説明するように、ＴＤＭプロトコルの特定形態とその送信時間要件は特に、マスターモデムに接続された下流構成要素のトラフィック能力に依存する。
【００２３】
本発明のシステムの下流構成要素は、同軸分配ユニットと、いわゆる「スレーブモデム」である。これらの両方の構成要素は、特に、光ファイバーケーブルを介して特定のマスターモデムと接続されている。従って、下流送信のために、光ファイバーの下流端に於けるデータ信号の目標アドレスによっては、信号は第一に、特定のマスターモデムへ送られて、次に、所定の同軸分配ユニットへ送られる。同軸分配ユニットから、信号は所定の「スレーブモデム」に送信される。スレーブモデムで、各信号の周波数は、目標アドレスの識別などの、ＦＤＭスキームにおけるマスターモデムによって課された条件に合うように調整される。各信号は、更に「スレーブモデム」から目標アドレスの特定下流装置に送信される。
【発明の効果】
【００２４】
本発明の作用に関して、データ（つまり、デジタルメッセージ）は、上流装置から、光ファイバーの上流端のマスターモデムに送られる。つけ加えると、ビデオ信号などの信号は、光ファイバーの上流端のＲＦインサータによって上流装置から受信される。特に、使われる予定の特定マスターモデムが、データの目標アドレスに従って選択される。各マスターモデムは特定の下流構成要素と接続される。
【００２５】
データ／ビデオを受信すると、マスターモデム／ＲＦインサータは、ＦＤＭスキームに従って周波数を割当て、ある場合には、ＴＤＭプロトコルを設定する。特に、ＦＤＭスキームは、マスターモデムにおける入力信号からのデータの混雑を避けるためと、信号を意図した目標アドレスに送るために採用されている。更に、ＴＤＭプロトコルは、システムに対する現在のトラフィックボリューム要求を受け入れるように形成されている。上で示したように、ＴＤＭプロトコルは、同軸分配ユニットと、目標アドレスの下流装置として作動する「スレーブモデム」を収容する。本発明によれば、ＴＤＭプロトコルの形態は、データのために特定送信時間要件を課することを含む。結果的に、ＴＤＭプロトコルが形成されると、データはＴＤＭプロトコルに従って、光ファイバーによって送信される。特に、各マスターモデムとＲＦインサータからの出力は、アップコンバートされ、他のモデム出力と結合され、結合されたサブオクターブ信号（上記したように）を生成することが出来る。結合されたサブオクターブ信号は、光送信器に送られ、その結合されたサブオクターブ信号は光信号に変換され、その光信号は光ファイバーの端部に送られる。
【００２６】
光ファイバーケーブルの下流端部で、受信された光信号は、受光器でＲＦ信号に変換される。ＲＦ信号は、分割され、フィルターにかけられ、ダウンコンバート（上記のように）され、選択された同軸分配ユニットへ送られる。上記のように、そのデータを受け取る特定の同軸分配ユニットの選択が信号（データ）の目標アドレスに基づいて決定される。同軸分配ユニットは、目標アドレスの下流装置への更なる送信のために、信号（データ又はビデオ）を「スレーブモデム」へ送る。
【００２７】
下流装置から上流装置へのアップストリーム送信は、ダウンストリーム送信のための、上記したものと実質的に同じルーティングを使う。この事情は、アップストリーム送信が応答であるか、又は新しいメッセージであるかに関係がない。しかし、どちらの場合も、アップストリーム送信が起こり得る前に、スレーブモデムは、第一に、その送信をする許可をマスターモデムから受信しなければならない。その結果、スレーブモデムは、ＦＤＭスキームへの整合性に関する命令及びＴＤＭプロトコルに於ける位置に関するリクエスト信号をマスターモデムへ送る必要がある。ＴＤＭプロトコルは、アップストリーム送信を受け入れるために、平均アベイラビリティと送信遅れに従って形成され、ＦＤＭスキームに対する整合性が成立した時、スレーブモデムは、マスターモデムによって、アップストリーム送信を行うことが可能であることを知らされる。下流装置は、上流装置に対して上流に送信することが出来る。
【図面の簡単な説明】
【００２８】
本発明と、本発明の新規な特徴は、構造と作用の両方に於いて、添付された記述と共に、添付された図面によって良く理解されるだろう。同一の参照文字は同一の部品を示す。
【図１】本発明による送信システムの一般的な概観を示す略図である。
【図２】単側波帯信号を使用するためのより詳細な図１の送信器と受信器を示す略図である。
【図３】複数の信号の互いに重複しないで、単一のサブオクターブの内に間隔をおいて配置された複数の周波数帯へアップコンバージョンを図示する周波数の図表である。
【図４】単側波帯又は両側波帯を使用するために、図１のシステムで使用される送信器と受信器の別の実施形態を示す略図図面である。
【図５】本発明のシステムと方法は、同じ光ファイバーで、前方と後方の両方向に同時にデジタル信号を転送するために使用可能であることを図示する略図である。
【図６】本発明による送信システムの別の実施形態の一般的な概観を示す略図である。
【発明を実施するための形態】
【００２９】
まず図１を参照すると、デジタル信号を送信するシステムが示され、一般的に参照番号１０で示される。図示されるように、システム１０は複数のデジタルデータストリーム（そのうちの、データストリーム１４ａ、１４ｂが示されている）を受信し、受信したデータストリーム１４ａ、１４ｂをデータストリーム１４ａ、１４ｂの中のアドレス情報に基づいて、適切なモデム１６ａ乃至１６ｃに送るよう作動するように接続されたデータスイッチング／ルーティングユニット１２を備えている。システム１０のために、データストリーム１４ａ、１４ｂは、例えば、発信元と目標情報からなるヘッダと、オーディオ及びビデオ信号又は、コンピュータファイル又は命令及び／又は通信ネットワークの他のノードからのデジタル信号などのコンピュータ信号を有するパケットを含むことができる。
【００３０】
図１を続けると、図示するように、各モデム１６ａから１６ｃは各々送られたデータストリーム１８ａから１８ｃを受信しかつデータストリームに作用し、送られたデータストリーム１８ａから１８ｃのうちの１つによって変調された搬送波を有する各ＲＦ信号２０ａから２０ｃを出力する。通常は、モデム１６ａから１６ｃによって出力された各ＲＦ信号は、約１０ＭＨｚから１ＧＨの範囲の周波数を有している。システム１０にとって、各モデム１６ａから１６ｃの搬送波周波数は異なっていても良いし、又は、各モデム１６ａから１６ｃの搬送波周波数（Ｆ０）は同一でも良い。
【００３１】
モデム１６ａから１６ｃから、ＲＦ信号２０ａから２０ｃは送信器２２によって処理され、変換され、その送信器２２は、光信号を光ファイバーに出力する。送信器２２の構造的及び作用的な詳細については、図２を参照して更に詳しく説明する。図１について続けると、受信器２６は光ファイバー２４からの光信号を処理し変換し、複数のＲＦ信号２８ａから２８ｃを出力することが分かる。受信器２６の構造的及び作用的な詳細は、図２を参照して、以下により詳しく述べる。通常は、受信器２６によって出力された各ＲＦ信号２８ａから２８ｃは、約１０ＭＨｚから１ＧＨの範囲の周波数を有する。システム１０にとって、ＲＦ信号２８ａから２８ｃの搬送波周波数は異なっていても良いし、又は各信号２８ａから２８ｃの搬送波周波数（Ｆ０）は同一でも良い。
【００３２】
図１に示すシステム１０に於いて、ＲＦ信号２８ａ乃至２８ｃは、選択的に１つ以上のネットワークに送られる。例えば、これらのネットワークは、パッシブ光ネットワーク（ＰＯＮ）、同軸ケーブルイーサネット（ＥＯＣ）ネットワーク、及びポイントツーポイント（Ｐ２Ｐ）ネットワークを含むことが出来る。これらのタイプのネットワークの略図を含む詳細が、２０１１年３月１０日出願の  “Ｓｕｂ−Ｏｃｔａｖｅ  ＲＦ  Ｓｔａｃｋｉｎｇ  ｆｏｒ  Ｏｐｔｉｃａｌ  Ｔｒａｎｓｐｏｒｔ  ａｎｄ  Ｄｅ−Ｓｔａｃｋｉｎｇ  ｆｏｒ  Ｄｉｓｔｒｉｂｕｔｉｏｎ”  と題された米国特許出願第１３／０４５，２５０号に提供されており、その内容の全体は、本明細書に参照により取り込まれている。
【００３３】
送信器２２と受信器２６の詳細と作用に関しては、図２を参照して十分理解することが可能である。この図面で分かるように、送信器２２は、複数のアップコンバータ３０ａから３０ｃを有しており、その各アップコンバータ３０ａから３０ｃは、各ＲＦ信号２０ａから２０ｃに作用して、入力ＲＦ信号２０ａから２０ｃ、例えば、（Ｆ０）より大きい周波数を含む周波数帯を有するＲＦ信号３２ａから３０ｃを出力する。特に、図２と図３を相互参照することによって、第１アップコンバータ３０ａは、第１の信号２０ａに作用して、周波数（Ｆ１）を含む周波数帯を出力し、第２アップコンバータ３０ｂは第２ＲＦ信号２０ｂに作用して、周波数（Ｆ２）を含む周波数帯を出力し以下、同様に、ｎ番目のアップコンバータ３０ｃは、ｎ番目の信号２０ｃに作用して、周波数（Ｆｎ）を含む周波数帯を出力する。
【００３４】
以下で更に詳細に述べるように、図２に図示した本発明の実施形態によれば、各々のアップコンバータ３０ａから３０ｃによって出力された各周波数帯は、好ましくは、単側波帯信号である。詳細に述べると、単側波帯信号（上側波帯又は下側波帯のどちらか）は、適切なフィルター又は単側波帯信号を生成するための関係分野で公知のその他の方法を使用して作り出すことが出来る。
【００３５】
図２と図３を相互参照すると、ＲＦ信号２０ａから２０ｃがアップコンバータ３０ａから３０ｃによって、重なり合わないで単一のサブオクターブ内で間隔を置いて配置された各周波数帯３４ａから３４ｃにアップコンバートされることが分かる。従って、アップコンバータ３０ａから３０ｃで出力された周波数はすべて、２ｆＬ−ｆＨ＞０の条件において、ｆＬとｆＨの間の周波数スペクトルの中に存在する。例えば、周波数帯は、約１，０００ＭＨｚの周波数で始まり、約１００ＭＨｚの帯域と、４ＭＨｚの帯域間のスペースを有しても良い。ある実施例に於いては、約３ＧＨｚ以上の範囲の周波数を使用しても良い。ある例では、サブオクターブ帯域での光ファイバー送信によれば、二次歪みを８０％程度又はそれ以上、減少させることができる。
【００３６】
上記のアップコンバートを達成するために、図２に示すように、各アップコンバータ３０ａから３０ｃは、局部発振器３６ａから３６ｃと、その局部発振器３６ａから３６ｃの出力と入力ＲＦ信号２０ａから２０ｃとを混合するためのミキサを備えている。送信器２２において、各局部発振器３６ａから３６ｃは、特異な周波数を出力し、その結果、各アップコンバータ３０ａから３０ｃは、特異な周波数帯３４ａから３４ｃを出力するが、この周波数帯３４ａから３４ｃは、図３に示すように、他の周波数帯３４ａから３４ｃと重なり合わず、単一のサブオクターブ内で他の周波数帯３４ａから３４ｃと間隔をおいて配置される。
【００３７】
図２で非常に良く分かるように、アップコンバータ３０ａから３０ｃから出力された各々の周波数帯３４ａから３４ｃ（図３を参照）を有するＲＦ信号３２ａから３２ｃは、ＲＦ結合器３８に入力され、該ＲＦ結合器３８はＲＦ信号３２ａから３２ｃを結合して結合済み信号４０を形成し、この結合済み信号４０は、光送信器４２に接続された共通導体に出力される。光送信器４２において、結合済み信号４０は、例えば、波長（λ１）を有する光信号に変換されて、その光信号は、光ファイバー２４の端部に送られる。例えば、光送信器４２は、レーザダイオードを備え、光ファイバー２４は約１キロメートル以上の長さを有することが可能である。
【００３８】
図２について続けると、光送信器４２によって送られた光信号を受信するために、受信器２６は光ファイバー２４に作用的に接続された受光器４４を備えていることが分かる。例えば、受光器４４はフォトダイオードを備えることが可能である。更に図２に示すように、受光器４４は、光ファイバー２４からの光信号をＲＦ信号４６に変換して、このＲＦ信号４６はＲＦスプリッタ４８に送られる。ＲＦスプリッタ４８では、ＲＦ信号４６は信号断片５０ａから５０ｃに分割され、その信号断片は、各帯域フィルター５２ａから５２ｃと各ダウンコンバータ５４ａから５４ｃを含む各々の回路経路に配置される。システムのために、帯域フィルター５２ａから５２ｃは、光ファイバー２４に沿って光信号を送信する間に生成された二次歪みを減少させ、ある場合には消滅させるために、サブオクターブ（つまり、ｆＬとｆＨの間の周波数スペクトル）の外側の周波数を取除く。ある場合には、ダウンコンバータ５４ａから５４ｃ内の同調回路は、帯域外周波数（つまり、サブオクターブの外側の周波数）の幾つか又はすべてをフィルターで取り除くように機能することが可能である。
【００３９】
図２を参照して続けると、各ダウンコンバータ５４ａから５４ｃは、ＲＦスプリッタ４８からの各ＲＦ信号断片５０ａから５０ｃに作用して、ＲＦ信号上に符号化されて送信されたデジタル信号のうちの１つを有するＲＦ信号２８ａから２８ｃを出力する。通常は、ダウンコンバータで出力されたすべてのＲＦ信号２８ａから２８ｃは、（Ｆ０）のような共通の周波数を有している。例えば、第１ダウンコンバータ５４ａは、第１のＲＦ信号断片５０ａに作用して、第１デジタル信号で変調された周波数（Ｆ０）のＲＦ信号２８ａを出力し、第２ダウンコンバータ５４ｂは第２のＲＦ信号断片５０ｂに作用して、第２デジタル信号で変調された周波数（Ｆ０）のＲＦ信号２８ｂを出力する。及び、ｎ番目のダウンコンバータ５４ｃはｎ番目のＲＦ信号断片５０ｃに作用して、ｎ番目の信号で変調された周波数（Ｆ０）のＲＦ信号２８ｃを出力する。受信器２６のために、各ダウンコンバータ５４ａから５４ｃは、周波数帯３４ａから３４ｃ（図３参照）のうちの１つを選択するように同調された同調回路などの回路と、その選択された周波数帯３４ａから３４ｃと混合された局部発振器出力を生成する局部発振器５６ａから５６ｃを備える。各ダウンコンバータ５４ａから５４ｃの出力は、初期デジタル信号のうちの１つで変調されたＲＦ信号２８ａから２８ｃである。ダウンコンバータ５４ａから５４ｃからのＲＦ信号２８ａから２８ｃの各々の信号は、各々のモデム（図示せず）に送ることができ、アナログＲＦ信号を復調して、送信されたデジタル信号を出力する。回復されたデジタル信号は、１つ以上のネットワークを通じて、各々の目標アドレスに送信することが可能である。
【００４０】
図４は送信器２２’を有する別の実施形態を示し、この送信器２２’は、複数のアップコンバータ３０ａ’から３０ｃ’を備え、各アップコンバータ３０ａ’から３０ｃ’は、各ＲＦ信号２０ａ’から２０ｃ’に作用し、入力ＲＦ信号２０ａ’から２０ｃ’よりも大きい周波数を含む周波数を有するＲＦ信号３２ａ’から３２ｃ’、例えば、（Ｆ０）を出力する。本実施形態では、各々のアップコンバータ３０ａ’から３０ｃ’によって出力された各周波数帯は、両方の側波帯（つまり、両側波帯（ＤＳＢ）を含むことが可能であり、残留側波帯（ＶＳＢ）信号を含むことが可能であり、あるいは変調された信号の単側波帯（ＳＳＢ）だけを備えることも可能である。図２に示す実施形態に関して上記したように、本実施形態では、ＲＦ信号２０ａ’から２０ｃ’は、アップコンバータ３０ａ’から３０ｃ’によってアップコンバートされて、重なり合わないで単一のサブオクターブ内で間隔をおいて配置された各周波数帯３４ａから３４ｃ（図３を参照）になる。この目的のために、各アップコンバータ３０ａ’から３０ｃ’は、局部発振器３６ａ’から３６ｃ’とミキサを備えている。同様に示されるように、基準周波数ＦＬＯ−ＲＥＦを生成する基準局部発振器５８は、局部発振器３６ａ’から３６ｃ’の各々と接続され、アップコンバータ３６ａ’から３６ｃ’の局部発振器信号を生成するように使われる。各々のミキサは、局部発振器３６ａ’から３６ｃ’の出力と、各々の入力ＲＦ信号２０ａ’から２０ｃ’を混合して、アップコンバータ３０ａ’から３０ｃ’の出力を生成する。
【００４１】
局部発振器３６ａ’から３６ｃ’と基準局部発振器５８の間の接続によって、その基準局部発振器５８とアップコンバータ局部発振器３６ａ’から３６ｃ’の間の周波数及び／又は位相情報を含む相対情報は、局部発振器３６ａ’から３６ｃ’に存在する位相ロックループ回路を使用する基準局部発振器５８によって制御することが可能である。基準局部発振器５８とテレメトリ信号６０からの出力は、アップコンバータ３０ａ’から３０ｃ’からの周波数帯とＲＦ結合器３８’で結合され、光送信器４２’を介して、光ファイバー２４’を通って送信される。
【００４２】
図４に就いて続けると、光送信器４２’によって送られた光信号を受信し、該光信号をＲＦ信号に変換して、そのＲＦ信号をＲＦスプリッタ４８’に送るために、受信器２６’は光ファイバー２４’に作用的に接続された受光器４４’を備えていることが分かる。ＲＦスプリッタ４８’では、ＲＦ信号は信号断片５０ａ’から５０ｃ’に分割される。図示されるように、信号断片５０ａ’から５０ｃ’は、各々の帯域フィルター５２ａ’から５２ｃ’と、各々のダウンコンバータ５４ａ’から５４ｃ’を含む各々の回路経路に配置される。システムの為に、帯域フィルター５２ａ’から５２ｃ’は、光送信器４２’によって生成され、光ファイバー２４’に沿って光信号が送信される間に導入された二次歪みを減少させ、ある場合には消滅させるために、サブオクターブ（つまり、ｆＬとｆＨの間の周波数スペクトル）の外側の周波数を取除く。ある場合には、ダウンコンバータ５４ａ’から５４ｃ’内の同調回路は、帯域外周波数（つまり、サブオクターブ外の周波数）の幾つか又はすべてをフィルターで取り除くように機能することが可能である。
【００４３】
更に図４に示すように、信号断片５０ｄ’は、各帯域フィルター５２ｄ’と、基準局部発振器信号を回復する基準局部発振器回復ユニット６４を含む各回路経路上に配置されている。例えば、基準局部発振器回復ユニット６４は、位相検出器などの位相ロックループ回路構成要素と、電圧制御発振器（ＶＣＯ）を備えている。図に示すように、信号断片５０ｅ’は、各帯域フィルター５２ｅ’とテレメトリ信号を回復させるテレメトリ信号回復ユニット６６を含む各回路経路上に配置される。図に示すように、基準局部発振器回復ユニット６４とテレメトリ信号回復ユニット６６は、通信制御ユニット６８と、各々のダウンコンバータ５４ａ’から５４ｃ’の局部発振器５６ａ’から５６ｃ’に接続されている。この配置によって、適切な局部発振器５６ａ’から５６ｃ’信号が、回復された基準局部発振器信号（つまり、基準局部発振器信号と、対応するアップコンバータ局部発振器の間相対位相及び／又は周波数）を使用して生成され得る。局部発振器５６ａ’から５６ｃ’からの適切な信号によって、各ダウンコンバータ５４ａ’から５４ｃ’は各ＲＦ信号断片５０ａ’から５０ｃ’に作用して、符号化され、送信されたデジタル信号の１つを有するＲＦ信号２８ａ’から２８ｃ’を出力する。
【００４４】
図５は、ここに記述した構造は、前方及び後方の両方向への同一光ファイバー２４’’を介した同時デジタル信号送信を提供するために、光ファイバー２４’’の各サイドに設置することが可能であることを示している。図示するように、送信器２２ａ（送信器２２又は２２’を参照して述べたように）を、波長（λ１）を有する光信号を、直列に配置された波長分割マルチプレクサ７０ａ、光ファイバー２４’’、波長分割マルチプレクサ７０ｂを介して、受信器２６ａが受信する（受信機２６又は２６’を参照して上に述べたように）ために、前方方向に送信するように配置することができる。また、図示するように、送信器２２ｂ（送信器２２又は２２’を参照して述べたように）を、波長（λ２）を有する光信号を、受信器２６ｂが受信する（受信器２６又は２６’を参照して上に述べたように）ために、直列に配置された波長分割マルチプレクサ７０ｂ、光ファイバー２４’’及び波長分割マルチプレクサ７０ａを介して後方方向に送信するように配置することができる。送信器２２ａの構成要素のうち幾つかは受信器２６ｂの構成要素のうちの幾つかと共有され、統合されるか又は共同設置されても良いことは理解されるはずである。また、トータルのデジタル送信能力を増加させるために、もっと多くの種類の波長を前方方向及び／又は後方方向に挿入することができることが理解されるはずである。
【００４５】
上記の様に、ここに説明したシステムを、両側の側波帯（つまり、両側波帯（ＤＳＢ）を含むことが可能で、残留側波帯（ＶＳＢ）を含むことが可能で、あるいは変調された信号の単側波帯（ＳＳＢ）だけを含むことも可能な光ファイバーを通じて周波数帯を送信するために使用することが可能である。ある例によれば、側波帯信号は、ＤＳＢよりも小さい送信帯域を使用しており、画像問題（以下を参照）を無くし、クリッピング効果を潜在的に減少させるので、単側波帯信号を使用することがより望ましい。加えて、送信中の局部発振子（つまり、搬送波周波数）の変動は、単側波帯信号を使用した時、最小の悪影響があるだけである。一方、両側波帯信号が使われた時、ダウンコンバージョン時の回復中にＤＳＢ信号に起こる画像の折り返しの問題が発生する可能性がある。周波数と位相の両方が、ＤＳＢ信号内で正確に回復されない場合には、これは解除（つまり、歪みの導入）を惹き起こす可能性がある。図４に示す実施形態は、システムの送信端で局部発振器信号ＬＯＮを生成するために使用出来る局部発振器基準ＬＯＲＥＦを設定することによって解決方法を提供する。ＬＯＲＥＦとＬＯＮの両方は、システムの受信端に光ファイバーを通じて送られるが、受信端では、ＬＯＲＥＦはダウンコンバージョンのためにＬＯＮ’を回復するために使われる。ＬＯＲＥＦによる方法は、単側波帯信号を使う場合、信号回復を改善するために使うことができる。
【００４６】
図６を参照して、アナログ及び／又はデジタル信号を送信するためのシステムの別のより一般的な実施形態を示す。一般的には参照番号１０’で示す。図示されるように、システム１０’は、複数のデジタルデータストリーム（そのうちの、データストリーム１４ａ’から１４ｃ’が指定されている）を受信し、受信したデータストリーム１４ａ’から１４ｃ’を、データストリーム１４ａ’から１４ｃ’の中のアドレス情報に基づいて、適切なモデム１６ａ’、１６ｂ’に送るよう作用的に接続されたデータスイッチング／ルーティングユニット１２’を備えている。２つのモデム１６ａ’、１６ｂ’が図示されているが、２つのモデム１６ａ’、１６ｂ’より多くのモデム及びモデム１６ａ’又は１６ｂ’の一方だけが、システム１０’で採用されても良いことを理解すべきである。システム１０’のために、データストリーム１４ａ’から１４ｃ’は、例えば、コンピュータファイル又は命令などの発信元と目標情報からなるヘッダ及び／又は通信ネットワークの他のノードからのデジタル信号を有するパケットを含むことができる。
【００４７】
図６を参照して続けると、図示するように、各モデム１６ａ’、１６ｂ’は、１つ以上の各々の送信されたデータストリーム１８ａ’から１８ｄ’を受信しかつデータストリームに作用し、１つ以上の送信されたデータストリーム１８ａ’から１８ｄ’によって変調された搬送波を有する各々のＲＦ信号２０ａ’’、２０ｂ’’を出力する。通常は、モデム１６ａ’、１６ｂ’によって出力された各ＲＦ信号は、約１０ＭＨｚから１ＧＨの範囲の周波数を有している。
【００４８】
図６を参考に続けると、ＲＦインサータ７１はビデオ信号のような信号７３を受信して、対応するＲＦ信号２０ｃ’を出力する。例えば、ＲＦインサータに入力された信号７３は、アナログビデオ信号、デジタルビデオ信号、又は関係する分野で公知のあらゆるタイプの信号であって良い。つけ加えると、信号７３はモニター信号及び／又はテレメトリ信号を含むことが可能である。更に、ＲＦインサータ７１は、直角振幅変調（ＱＡＭ）又は位相偏移変調（ＱＰＳＫ）又は関係する分野で公知のその他のあらゆる変調技術など、ＲＦ信号２０ｃ’’を生成する場合に変調機能を実行することができる。システム１０’にとって、ＲＦインサータ７１はモデム１６ａ’、１６ｂ’出力（つまり、ＲＦ信号２０ａ’’、ｂ’’）とは互換性があるＲＦ信号２０ｃ’を生成するが、以下で述べるように、ＲＦ信号２０ａ’から２０ｃ’は、送信器２２’’で一緒に処理可能である。
【００４９】
図６は、モデム１６ａ’、１６ｂ’からのＲＦ信号２０ａ’’、２０ｂ’’とＲＦインサータ７１からのＲＦ信号２０ｃ’’は、まとめて、送信器２２’’（送信器２２（図２参照）又は送信器２２’（図４参照）を参考に上記したように）によって処理され、変換されることを示している。送信器２２’’は光ファイバー２４ａ上に光信号を出力する。受信器２６’（受信器２６（図２）又は受信器２６’（図４）を参照して上で述べたように）は、光ファイバー２４ａからの光信号を処理し、変換して、複数のＲＦ信号２８’’乃至２８ｃ’’を出力する。ＲＦ信号２８ａ’’から２８ｃ’’は、各々の同軸分配ユニット７２ａ乃至７２ｃによって受信され、各々の同軸分配ユニットは、目標アドレスに基づいて、各ＲＦ信号２８ａ’’から２８ｃ’’をモデム７４ａから７４ｉに送る。モデム７４ａから７４ｉは、初期データ信号１４ａ’から１４ｃ’を回復する１つ以上のＲＦ信号からデジタル信号へのモデム及び／又は、アナログビデオ信号などの初期信号７３を回復するための１つ以上のＲＦ信号からアナログ信号へのモデムを備えることが可能である。
【００５０】
本発明によれば、図示したシステム１０’は、光ファイバー２４ａを介してデータ信号１４ａ’から１４ｃ’の流れを増加させる能力を備えることが可能である。特に、システム１０’に於いて、１つ以上のモデム１６ａ’、１６ｂ’は、いわゆるマスターモデムであって良く、１つ以上のモデム７４ａから７４ｉは、いわゆるスレーブモデムであって良い。従って、システム１０’では、モデム１６ａ’、１６ｂ’のうちの１つ、あるいは複数の、又はすべてがマスターモデムであって良い。従って、モデム１６ａ’、１６ｂ’のうちの１つ、あるいは複数、又はすべてが標準（マスターではなく）モデムであっても良い。更に、モデム７４ａから７４ｉのうちの１つ、あるいは複数、又はすべてがスレーブモデムであって良く、モデム７４ａから７４ｉのうちの１つ、あるいは複数、又はすべてが標準（スレーブではなく）モデムであっても良い。
【００５１】
図示した配列において、スレーブモデム７４ａから７４ｉは、マスターモデム１６ａ’、１６ｂ’によって制御される。通常は、図示するように、マスターモデム１６ａ’、１６ｂ’が１個以上のスレーブモデム７４ａから７４ｉを制御して、その制御の基に、データストリーム１４ａ’から１４ｃ’をスレーブモデム７４ａから７４ｉに送る。例えば、システム１０’は、マスターモデム１６ｂ’がスレーブモデム７４ｄから７４ｆを制御するように形成されることが可能である。スレーブモデム７４ｅによって提供される目標アドレスを有するデータ信号１４ｃ’などのデータ信号が、データスイッチング／ルーティングユニット１２’に到達すると、データ信号１４ｃ’は、スレーブモデム７４ｅを制御するマスターモデム１６ｂ’に送られる。例えば、マスターモデム１６ｂ’から出る信号２０ｂ’’の周波数又は幾つかのその他の信号パラメータを、信号２０ｂ’’が目標としているスレーブモデム７４ｅに到達するように制御することが可能である。加えて、各ＲＦインサータは１つ以上のスレーブモデム７４ａから７４ｉを制御することが可能である。
【００５２】
上記の構造の中で、上流装置と下流装置の間の信号送信量は、時間で制御されるか／又は周波数で制御される。更に、本発明によれば、システム１０’はポイントツーポイントネットワーク又はポイントツーマルチポイントネットワークのどちらかで使うことが出来る。さらに詳しく言うと、モデム１６ａ’、１６ｂ’及び／又はＲＦインサータ７１のうちの１つ、または複数あるいはそのすべてが時間分割多重（ＴＤＭ）の機能を備えることができる。特に、ＴＤＭ能力は、システム１０’の過負荷をひき起こす可能性のある信号の衝突を防止するデータ送信信号のスタックプロトコルを設定するために提供される。ＴＤＭ能力に加えて、又はＴＤＭの代替として、モデム１６ａ’、１６ｂ’のうちの１つ、あるいは複数又はすべて及び／又はＲＦインサータ７１は、周波数分割多重化（ＦＤＭ）機能を備えることができる。更に特に、ＦＤＭ機能は、モデム１６ａ’、１６ｂ’及び／又はＲＦインサータ７１のデータ送信機能を収容して、異なる周波数による異なる下流装置への信号送信を可能にするように提供される。この結合に於いて、ＦＤＭスキームは、各々の信号が信号整合性を保つために複数の異なる信号周波数を成立させる。また、ＦＤＭスキームは信号を特別に意図した目標アドレスに送るために、異なる周波数を使うことができる。各モデム１６ａ’、１６ｂ’及び／又はＲＦインサータ７１は、光ファイバー２４ａを介したそれ以降の送信のために、データ信号をＦＤＭプロトコルの中に待ち行列にするためのＦＤＭ機能を使用する。
【００５３】
ＴＤＭプロトコルに従って、各モデム１６ａ’、１６ｂ’及び／又はＲＦインサータ７１は、メッセージ送信の順番を設定する。更に、ＴＤＭプロトコルの一部分として、モデム１６ａ’、１６ｂ’及び／又はＲＦインサータ７１は、待ち行列にあるメッセージに対して特定送信時間要件を課す。ＴＤＭプロトコルの特定形態とその送信時間要件は特に、同軸分配ユニット７２ａから７２ｃ及び／又は１つ以上のスレーブモデム７４ａから７４ｉなどの特定のモデム１６ａ’、１６ｂ’及び／又はＲＦインサータ７１に接続された下流構成要素のトラフィック能力に依存する。スレーブモデム７４ａから７４ｃにおいては、各信号の周波数は、目標アドレスの識別などの、ＦＤＭスキーム中のモデム１６ａ’、１６ｂ’及び／又はＲＦインサータ７１によって課された要件と合致するように調整される。各信号はさらに、スレーブモデム７４ａから７４ｉから目標アドレスの特定下流装置に送信される。
【００５４】
システム１０’が作動すると、データストリーム１４ａ’から１４ｃ’は、データスイッチング／ルーティングユニット１２’の上流装置から特定のモデム１６ａ’、１６ｂ’に送られる。特に、使用予定である特定モデム１６ａ’、１６ｂ’は、データストリーム１４ａ’から１４ｃ’の目標アドレスに従って選択される。各マスターモデム１６ａ’、１６ｂ’が、同軸分配ユニット７２ａから７２ｃ及び１つ以上のスレーブモデム７４ａから７４ｉなどの特定下流構成要素と接続されることを想起すべきである。
【００５５】
データストリーム１４ａ’から１４ｃ’又は信号７３を受信すると、マスターモデム１６ａ’、１６ｂ’又はＲＦインサータ７１は、ＦＤＭスキームに従って周波数を割当て、ＴＤＭプロトコルを設定する。特に、ＦＤＭスキームは、モデム１６ａ’、１６ｂ’及び／又はＲＦインサータ７１における入力信号からのデータの混雑を避けるためと、信号を、意図した目標アドレスに送るために採用されている。更に、ＴＤＭプロトコルは、システム１０’に対する現在のトラフィックボリューム要求を受け入れるように形成されている。上で示したように、ＴＤＭプロトコルは、同軸分配ユニット７２ａから７２ｃと、目標アドレスの下流装置として作動するスレーブモデム７４ａから７４ｉを収容する。システム１０’によれば、ＴＤＭプロトコルの形態は、データストリーム１４ａ’から１４ｃ’のために特定送信時間要件を課することを含む。ＴＤＭプロトコルが形成されると、データストリーム１４ａ’から１４ｃ’及び／又は信号７３は、ＴＤＭプロトコルに従って、光ファイバー２４ａで送信される。特に、モデム１６ａ’、１６ｂ’及び／又はＲＦインサータ７１から出力されたＲＦ信号２０ａ’から２０ｃ’は、アップコンバートされ結合され、送信器２２’’の中に、結合されたサブオクターブ信号（上記したように）を生成することが出来る。また送信器２２’’では、結合されたサブオクターブ信号は光送信器に送られ、この光送信器は、結合されたサブオクターブ信号を光信号に変換し、その光信号を光ファイバー２４ａの端部に送る。
【００５６】
光ファイバー２４ａの下流端において、受信された光信号は、受信器２６’’でＲＦ信号に変換される。受信器２６’’で、受信されたＲＦ信号は分割され、フィルターにかけられ、ダウンコンバート（上記のように）され、選択された同軸分配ユニット７２ａから７２ｃに送られる。上に示したように、データを受信する特定同軸分配ユニット７２ａから７２ｃの選択は、データストリーム１４ａ’から１４ｃ’及び／又は信号７３の目標アドレスに基づいて決定される。同軸分配ユニット７２ａから７２ｃは、目標アドレスの下流装置に対する送信のために、データストリーム１４ａ’から１４ｃ’及び／又は信号７３を、適切なモデム７４ａから７４ｉに送る。
【００５７】
下流装置から上流装置へのアップストリーム送信は、ダウンストリーム送信について上記した実質的に同じルート設定を使用する。この事情は、アップストリーム送信が応答であるか、新たなメッセージであるかに関係ない。しかし、どちらの場合でも、アップストリーム送信の前に、第一に、スレーブモデム７４ａ乃至７４ｉは、送信をするためのマスターモデム１６ａ’、１６ｂ’からの許可を受信しなければならない。この為に、スレーブモデム７４ａから７４ｉは、マスターモデム１６ａ’、１６ｂ’に対して、ＦＤＭスキームに対する整合性に関する命令及びＴＤＭプロトコルに於ける位置に関してリクエスト信号を送るように要求される。ＴＤＭプロトコルは、アップストリーム送信を受け入れるために、平均アベイラビリティと送信遅れに従って形成され、ＦＤＭスキームに対する整合性が成立された時、スレーブモデム７４ａから７４ｉは、マスターモデム１６ａ’から１６ｃ’によって、アップストリーム送信を実行出来ることを知らされる。下流装置は、上流装置に対してアップストリーム送信することができる。
【００５８】
本明細書に図示し、詳細に記述した光ファイバー送信システムのための特定のスイッチング／ルーティングプロトコルは、目的を達成して、本明細書に述べた利益を提供することが出来るが、それは本発明の現在時点での好ましい実施形態の単なる例示に過ぎず、添付された請求項に記述されたもの以外のこの明細書に示した構造とデザインの詳細に関して限定するものではない。
【符号の説明】
【００５９】
１０  システム
１２  データスイッチング／ルーティングユニット
１４ａ、１４ｂ、１４ｃ  データストリーム
１６ａ、１６ｂ、１６ｃ  モデム
１８ａ、１８ｂ、１８ｃ  データストリーム
２０ａ、２０ｂ、２０ｃ  ＲＦ信号
２２  送信器
２４  光ファイバー
２６  受信器
２８  ＲＦ信号
３０ａ、３０ｂ、３０ｃ  アップコンバータ
３２ａ、３２ｂ、３２ｃ  ＲＦ信号
３４ａ、３４ｂ、３４ｃ  周波数帯
３６ａ、３６ｂ、３６ｃ  局部発振器
３８  ＲＦ結合器
４０  結合済み信号
４２  光発振器
４４  受光器
４６  ＲＦ信号
４８  ＲＦスプリッタ
５０ａ、５０ｂ、５０ｃ  信号断片
５４ａ、５４ｂ、５４ｃ  ダウンコンバータ
５６ａ、５６ｂ、５６ｃ  局部発振器
６０  テレメトリ信号
６４  基準局部発振器回復ユニット
６６  テレメトリ信号回復ユニット
６８  通信制御ユニット  
７０ａ、７０ｂ  波長分割マルチプレクサ
７２ａ、７２ｂ、７２ｃ  同軸分配ユニット
７４ａ―７４ｉ  モデム
【図１】
2014075794.tif 000003
【図２】
2014075794.tif 000004
【図３】
2014075794.tif 000005
【図４】
2014075794.tif 000006
【図５】
2014075794.tif 000007
【図６】
2014075794.tif 000008
【外国語明細書】
2014075794000001.pdf